(57)【要約】【課題】  材料同士が互いに擦り合う場合、その減摩策として、従来は主に鉱物系油等の潤滑剤が用いられているが、作業がしにくい，あるいは使用後の取り扱いにおいて環境に対して優しくない、あるいは資源の枯渇などのいろいろな課題が生じる。【解決手段】  材料同士が互いに擦り合う場合、その減摩策として、従来のように鉱物系油を使用するのではなくて、植物性食品、しかも使用済み食用油をベースとしこれに大豆レシチンを含ませた液状の優れた潤滑機能を有する潤滑剤を用いることにより、従来に比べて良好な潤滑性能が得られ良好な作業を行うことができる。しかも、原料は植物をベースとしていることから、資源的にも環境に対しても有効な手段になり得る。【特許請求の範囲】
【請求項１】
使用済みの植物性食用油に、大豆レシチンを１質量％およびそれ以上、８質量％およびそれ以下を含ませて潤滑性能を向上させた液体状の植物性潤滑剤。
【請求項２】
使用済みの植物性食用油に使用前の植物性食用油を混ぜる、あるいは全部を使用前の植物性食用油に置き換えて、この食用油に、大豆レシチンを１質量％およびそれ以上、８質量％およびそれ以下を含ませて潤滑性能を向上させた液体状の植物性潤滑剤。
【請求項３】
使用済みの植物性食用油に使用前の植物性食用油を混ぜる、あるいは全部を使用前の植物性食用油に置き換える、あるいはこれら植物性食用油に石油系潤滑油を混ぜて、これに大豆レシチンを１質量％およびそれ以上、８質量％およびそれ以下を含ませて潤滑性能を向上させた液体状の潤滑剤。
【請求項４】
請求項１、２および３記載の潤滑剤の製造方法で、容器に使用済み植物性食用油、あるいはこれに使用前の植物性食用油を混ぜたものあるいは全部を使用前の油に置き換えたえたもの、あるいはこれら植物性食用油に石油系潤滑油を混ぜたものを入れ、これに大豆レシチンを１質量％およびそれ以上、８質量％およびそれ以下を加え含ませて、混合、攪拌、静置して液体状潤滑剤を得る方法。
【発明の詳細な説明】
【技術分野】
【０００１】  本発明は、金属あるいは非金属の材料と材料とが互いに擦り合うような際に、擦り合う材料の表面に従来のような石油などの鉱物油系の潤滑剤を使用するのではなくて、植物性の、しかも使用済みの食用油をベースにした常温で使用される液体状潤滑剤およびその製法に関するものである。すなわち天ぷらなど揚げ物食品をつくる際に使用される食用油の使用済み油をベースに、これに植物性の界面活性剤レシチンを添加して、優れた潤滑性能を有する機械用の液体状の植物性潤滑剤およびその製法に関するものである。そして、この潤滑剤の適用例としては、例えば材料の成形加工時の材料表面あるいは機械内の回転部に適用できる潤滑剤に関するものである。
【背景技術】
【０００２】  従来、金属材料などの成形加工時など材料同士が互いに擦り合うような場合、あるいは機械内の回転部などでの両材料の表面間には、潤滑剤がないと良好な作業ができないなど具合が悪い場合が多い。このような場合、従来の作業工程では、材料表面に主に鉱物油系の潤滑剤を塗布して減摩し作業が行われている。しかし地球環境に対して優しくない、また資源枯渇などの問題がある。環境に優しい小麦粉など穀物系粉の懸濁液を材料表面に塗布、乾燥させて使用する場合（特開平１０−１８０３９１号）もあるが、この場合、液を材料表面に塗布の際に、前工程からの残留鉱物系油を予め取り除いておかないと、潤滑剤塗布時に液をはじいて均一に塗布し難い場合があり、作業能率を悪くするなどの実用上の問題も多い。
【発明の開示】
【発明が解決しようとする課題】
【０００３】  従来実用されている潤滑剤は、鉱物油系が主なもので、使用時あるいは使用後などにおいて地球環境に対して、けっして優しくないなどの多くの課題を含んでいる。いずれの場合でも、これらの潤滑剤が環境に害を与えるものであってはならない。鉱物油系以外の穀物系潤滑剤でも、潤滑剤塗布前の工程からの鉱物系油の僅かの残留でも塗布しにくいなどの実用上の問題などがある。
【課題を解決するための手段】
【０００４】  本発明者は、材料と材料とが互いに擦り合う場合について、上記問題点を解決すべく種々検討した結果、材料同士が互いに擦り合う際に、従来の鉱物系潤滑油に代わって、植物性の油、しかも使用済み食用油を利用して、これに植物性レシチンを添加して含ませることによって、優れた潤滑性能を有する潤滑剤が得られることを見出し、本発明を完成させた。
本発明は、優れた潤滑性能を有する植物性をベースとした潤滑剤およびその製法に関するものである。
本発明潤滑剤の原料は、主に植物を通して得るものであるので、環境に対して優しく、かつ植物は育成すれば得ることのできる半永久的資源であり、しかも主原料は使用済み食用油の再利用をベースにしていることから、本発明潤滑剤は、資源、環境の両面からの対策にもなり得るものである。
本発明潤滑剤は優れた潤滑性能を有し、かつ適用性も、塗布前の工程からの材料表面に従来の鉱物系油が残留していても、そのまま塗布使用できるという適用のし易さ等の特典も有している。【０００５】  本発明潤滑剤は、まず植物性の使用済み食用油に、植物性レシチン、例えば大豆レシチンを添加することによって潤滑性能を向上させるものである。液の塗布性もよく、取り扱い易く、良好な潤滑性能を発揮するものである。使用済み食用油は、揚げ物などに使用された菜種、米などを原料とした一般的植物性の食用油である。使用済み油であるために、揚げ物からの油類等が多少あっても差し支えなく、いわゆる一般的使用済みの植物性食用油である。またこの使用済み植物性食用油に使用前の植物性食用油を混ぜる、あるいは全部を使用前の植物性食用油に置き換える、あるいは、この植物性食用油に石油系潤滑油を混ぜても差し支えない。【０００６】  本発明潤滑剤の含有範囲は、使用済み植物性食用油、あるいはこれに使用前の植物性食用油を混ぜる、あるいは全部を使用前の油に置き換える、あるいは、この植物性食用油に石油系潤滑油を混ぜたものとし、これに、植物性レシチンの大豆レシチンを１質量％およびそれ以上、８質量％およびそれ以下を含ませたものであり、このことによって、優れた潤滑性能を有する潤滑剤が得られる。本発明における％表示は、すべて質量％である。【０００７】  潤滑剤の塗布は、被加工材の表裏面、あるいは片面のいずれにも適用される。あるいは加工金型側に塗布してもよい。また材料の成形加工後あるいは機械内での使用後においても、植物性をベースにしているので、使用後の処理液も鉱物油のみのような環境に対しての害も軽減できる。【０００８】  本発明において、互いに擦り合う材料とは、鉄鋼系、ステンレス系、高合金系、チタン系、アルミ系、銅系など金属あるいは非金属材料などのことであり、その材料の形状については特定しない。この潤滑剤の適用例としては、金属あるいは非金属材の成形加工時あるいは機械回転部にも潤滑剤として使用でき、かつ塗布される材料表面に前工程からの鉱物系油が残留していてもそのまま使用でき、従来の鉱物系油を使用した工程にも、本発明潤滑剤を手間なく徐々に切り替えて使用することができる。
【発明を実施するための最良の形態】
【０００９】  本発明潤滑剤は、良好な塗布性、付着性を有し、そして優れた潤滑性能を有し、材料と材料とが互いに擦り合う際に、材料の表裏面または片方の表面に塗布して使われるものである。金属、非金属材料の成形加工時には、金型と金型との間にはさまれる被加工板材の表裏面もしくは片面、場合によっては金型に塗布してもよく、また機械内回転部などの擦り合う表面に用いるものであり、使用箇所は特に限定しない。
本発明潤滑剤の製法は、液体用容器に、まず使用済み植物性食用油、もしくはこれに使用前の植物性食用油を混ぜたものあるいは全部を植物性食用油に置き換えたもの、あるいはこの植物性食用油に石油系潤滑油を混ぜたもの、これに植物性レシチン、すなわち大豆レシチンを１質量％およびそれ以上、８質量％およびそれ以下を加え含ませて、混合、攪拌、静置するのが基本工程である。成分含有量以外の各工程での条件、例えば、各液の混合順序などは、特に限定しない。
【実施例１】
【００１０】  本発明の潤滑剤に関して、潤滑剤として植物性の使用済み食用油（米系油）に大豆レシチンを０．５〜１０％を添加して含ませた液を用いて、この液の潤滑性能を調べる材料の成形加工性能試験：エリクセン（Ｅｒ）試験を行った。材料には亜鉛メッキ鋼板（板厚０．８ｍｍ、受け取りままで、表面脱脂処理なし）を用いた。比較に従来の鉱物系油についても行った。その結果を表１に示す。【００１１】  潤滑剤として、使用済み食用油にレシチンを１％およびそれ以上、８％およびそれ以下を含む液を使用することで、液の均一性、かつ塗布性、付着性（均一性）も良好であり、かつ高いエリクセン（Ｅｒ）値（ｍｍ）が得られ、加工材の仕上がりの表面もきれいなど良好な成形加工性が得られる。含有量も８％以上、すなわち１０％になるとＥｒ値も飽和し、また液の粘度も増し塗布性がやや悪くなり、均一な塗布が難しくなり取り扱いにくくなり好ましくない。よって、大豆レシチンの適正な添加量の上限は８％である。
【表１】
2015134896.tif 000002
【実施例２】
【００１２】  本発明潤滑剤に関して、潤滑剤として植物性の使用済み食用油、そしてこれに使用前の食用油を５０％混ぜたもの、あるいは全部を使用前の油に置き換えたものをベースとし、この食用油に大豆レシチンを４％添加した潤滑剤を用いて、同様のエリクセン（Ｅｒ）試験を行った。その結果を表２に示す。いずれの条件においても良好な結果が得られている。
【表２】
2015134896.tif 000003
【実施例３】
【００１３】  本発明潤滑剤に関して、潤滑剤として植物性の使用済み食用油、そしてこれに使用前の食用油を２０％を混ぜたもの、あるいはこれに石油系潤滑油を３０〜７０％混ぜたものをベースとし、これに大豆レシチンを２％添加した潤滑剤を用いて、同様のエリクセン（Ｅｒ）試験を行った。その結果を表３に示す。いずれの条件においても良好な結果が得られている。加工後の試験片からの油の除去も容易である。また、液の混合順序を、最初植物性食用油に大豆レシチンを添加し、これに石油系潤滑油を混ぜて同様の試験も行ったが、良好な結果が得られている。
【表３】
2015134896.tif 000004
【実施例４】
【００１４】  本発明潤滑剤の製造方法は、原料として、使用済み植物性食用油、あるいはこれに使用前の植物性食用油を混ぜたもの、あるいは全部を使用前の油に置き換えたもの、さらに石油系潤滑油を混ぜたものに、植物性レシチンを添加して、配合、攪拌、静置する工程から成り立っているが、その基本例を次に示す。
液体用容器に使用済み食用油（米系油、あるいは菜種系油）を入れ、これに大豆レシチン４％を添加し、混合、攪拌、静置し、同様の試験を行った。これを塗布する材料には亜鉛メッキ薄鋼板を使用し、表面は洗浄することなく受け取りままの状態で塗布して調べた。その結果を表４に示す。この場合の作成液量は１０Ｌ（リットル）の場合である。
出来あがった潤滑剤（液）は、いずれも均一で、塗布性も良好で、かつ、この潤滑剤を用いて行った材料の成形加工性能試験においても良好な結果が得られている。
【表４】
2015134896.tif 000005
使用済み植物性食用油に使用前の油を混ぜた場合、あるいは全部を使用前油に置き換えた場合、さらにこれに石油系潤滑油を混ぜた場合でも同様に良好な結果が得られている。
【産業上の利用可能性】
【００１５】  本発明は、以上のように構成されているので、以下に記載されるような産業上の利用可能性を有する。【００１６】  すなわち、産業上において、材料と材料とが互いに擦り合う場合、擦り合う材料表面に、優れた潤滑性能を発揮する本発明潤滑剤を使用すれば、摩擦を軽減し、良好な潤滑機能を得ることができる。材料の塑性加工時、機械内の回転部などの潤滑剤として適用する時に、実用上取り扱い易く、優れた潤滑機能を発揮し、良好な作業を行うことができる。
また本発明潤滑剤およびその製法に関しては、主原料は、揚げ物などに使用後あるいは使用前の植物性食用油をベースとしており、そして添加する大豆レシチンも植物から得られるものである。しかも主原料は資源の再利用をベースとしている。原料は植物という育成すればできる半永久的資源をベースとしており、そして環境に対して優しい潤滑剤を提供することができる。
本発明は、資源、環境の両面から有効である。